(57)【要約】【課題】トライアックの異常を正確に判定する。【解決手段】電源ユニット４は、商用電源からトライアック４１に印加される交流電圧のゼロクロス点において、予め設定された所定幅のパルス信号であるゼロクロス信号を生成する信号生成回路４２と、トライアック４１に対して定着ローラ５３２の温度を制御するべく指示信号を出力する定着温度制御部１１１と、ゼロクロス信号及び指示信号に基づいてトライアック４１の制御が異常であるか否かを判定する演算回路４３と、を備えている。【選択図】図２
2008170657.tif 000002
【特許請求の範囲】
【請求項１】
トライアック（ＴＲＩＡＣ：ＴＲＩｏｄｅ  ＡＣ  ｓｗｉｔｃｈ）を介して商用電源から定着ヒータに断続的に電力を供給し、定着ローラの温度を制御する定着制御装置であって、
商用電源から前記トライアックに印加される交流電圧のゼロクロス点において、予め設定された所定幅のパルス信号であるゼロクロス信号を生成する信号生成手段と、
前記トライアックに対して前記定着ローラの温度を制御するべく指示信号を出力するトライアック制御手段と、
前記ゼロクロス信号及び指示信号に基づいて、前記トライアックの制御が異常であるか否かを判定する判定手段と、
を備えることを特徴とする定着制御装置。
【請求項２】
前記トライアックと前記定着ヒータとの間に介設され、前記トライアックから前記定着ヒータに供給される電力を遮断する遮断手段と、
前記判定手段によって前記トライアックの制御が異常であると判定された場合に、前記遮断手段を介して、電力を遮断させる遮断指示手段と、
を備えることを特徴とする請求項１に記載の定着制御装置。
【請求項３】
前記遮断手段は、リレーを備え、該リレーを介して電力を遮断することを特徴とする請求項２に記載の定着制御装置。
【請求項４】
前記判定手段によって前記トライアックの制御が異常であると判定された場合に、外部から視認可能に前記トライアックの制御が異常である旨の情報を出力する表示制御手段を備えることを特徴とする請求項１〜請求項３のいずれかに記載の定着制御装置。
【請求項５】
異常情報を格納する異常情報記憶手段と、
前記判定手段によって前記トライアックの制御が異常であると判定された場合に、前記トライアックの制御が異常である旨の情報を前記異常情報記憶手段に格納する異常処理手段と、
を備えることを特徴とする請求項１〜請求項４のいずれかに記載の定着制御装置。
【請求項６】
前記判定手段は、前記トライアック制御手段から前記トライアックに対して前記定着ヒータへの電力の供給を停止する旨の指示信号が出力され、且つ、前記ゼロクロス信号が出力されている場合に、前記トライアックの制御が異常であると判定することを特徴とする請求項１〜請求項５のいずれかに記載の定着制御装置。
【請求項７】
前記トライアック制御手段は、前記トライアックに対して前記定着ヒータへ電力を供給させる旨の指示信号であるトライアック制御信号をオンオフ制御することによって前記定着ローラの温度を制御し、
前記判定手段は、
前記トライアック制御信号が入力されるＮＯＴ回路と、
前記ＮＯＴ回路の出力信号及び前記ゼロクロス信号が入力されるＡＮＤ回路と、
を備え、
前記遮断指示手段は、前記ＡＮＤ回路からの出力信号がＯＮ状態である場合に、電力を遮断させることを特徴とする請求項６に記載の定着制御装置。
【請求項８】
定着ローラ及び定着ローラを加熱する定着ヒータを有し、転写されたトナーを記録紙上に定着して画像を形成する定着ユニットと、
請求項１〜請求項７のいずれかに記載の定着制御装置と、
を備え、
前記定着制御装置は、商用電源から前記定着ユニットに配設された定着ヒータに断続的に電力を供給し、前記定着ユニットに配設された定着ローラの温度を制御することを特徴とする画像形成装置。
【発明の詳細な説明】
【技術分野】
【０００１】
本発明は、トライアック（ＴＲＩＡＣ：ＴＲＩｏｄｅ  ＡＣ  ｓｗｉｔｃｈ）を介して商用電源から定着ヒータに断続的に電力を供給し、定着ローラの温度を制御する定着制御装置、及び、画像形成装置に関するものである。特に、複写機、ファクシミリ、インターネットファクシミリ、ネットワークプリンタ、及び、これらの機能の内の少なくとも１以上の機能を有する複合機に関するものである。
【背景技術】
【０００２】
従来、複写機等の画像形成装置に配設され、定着ローラの温度を制御する定着制御装置では、ＣＰＵ（Ｃｅｎｔｒａｌ  Ｐｒｏｃｅｓｓｉｎｇ  Ｕｎｉｔ）が、定着ローラの温度を検出するサーミスタから入力される温度信号に基づき、トライアックに対して定着ヒータへの電力の供給を供給及び停止させる構成になっている。しかし、ＣＰＵでのソフトウェアの暴走、サーミスタの故障、トライアックの故障等に起因して定着ローラが異常に高温になり、定着ローラの損傷が発生する虞があった。
【０００３】
上記課題に対して種々の装置、方法が提案されている。例えば、定着ヒータの温度等の状態を定期的に監視し異常の有無を検出するソフトウェアが正常に動作しているか否かを判定し、ソフトウェアが正常に動作していると確認できた場合にのみ、定着ヒータのオンオフを制御するヒータリレーの強制ＯＦＦを解除する（＝定着ヒータによる加熱を可能とする）定着装置が開示されている（特許文献１参照）。この定着装置によれば、ソフトウェアの暴走が発生した場合であっても定着ヒータの異常加熱を未然に防止することができる。
【特許文献１】特開２００５−９１９３５号公報
【発明の開示】
【発明が解決しようとする課題】
【０００４】
しかしながら、上記定着装置においても、トライアックの故障等に起因して定着ローラが異常に高温になり、定着ローラの損傷が発生する虞がある。例えば、ソフトウェアが正常に動作していると定着ヒータのオンオフを制御するヒータリレーの強制ＯＦＦが解除される（＝定着ヒータによる加熱が可能となる）ため、トライアックがショートした状態で故障した場合には、定着ヒータによって加熱され続けて定着ローラが異常に高温になる虞があるのである。
【０００５】
本発明は、上記課題に鑑みてなされたものであって、トライアックの異常を正確に判定することの可能な定着制御装置及び画像形成装置を提供することを目的としている。
【課題を解決するための手段】
【０００６】
上記目的を達成するために請求項１に記載の定着制御装置は、トライアック（ＴＲＩＡＣ：ＴＲＩｏｄｅ  ＡＣ  ｓｗｉｔｃｈ）を介して商用電源から定着ヒータに断続的に電力を供給し、定着ローラの温度を制御する定着制御装置であって、商用電源から前記トライアックに印加される交流電圧のゼロクロス点において、予め設定された所定幅のパルス信号であるゼロクロス信号を生成する信号生成手段と、前記トライアックに対して前記定着ローラの温度を制御するべく指示信号を出力するトライアック制御手段と、前記ゼロクロス信号及び指示信号に基づいて前記トライアックの制御が異常であるか否かを判定する判定手段と、を備えることを特徴としている。
【０００７】
請求項２に記載の定着制御装置は、請求項１に記載の定着制御装置であって、前記トライアックと前記定着ヒータとの間に介設され、前記トライアックから前記定着ヒータに供給される電力を遮断する遮断手段と、前記判定手段によって前記トライアックの制御が異常であると判定された場合に、前記遮断手段を介して電力を遮断させる遮断指示手段と、を備えることを特徴としている。
【０００８】
請求項３に記載の定着制御装置は、請求項２に記載の定着制御装置であって、前記遮断手段が、リレーを備え、該リレーを介して電力を遮断することを特徴としている。
【０００９】
請求項４に記載の定着制御装置は、請求項１〜請求項３のいずれかに記載の定着制御装置であって、前記判定手段によって前記トライアックの制御が異常であると判定された場合に、外部から視認可能に前記トライアックの制御が異常である旨の情報を出力する表示制御手段を備えることを特徴としている。
【００１０】
請求項５に記載の定着制御装置は、請求項１〜請求項４のいずれかに記載の定着制御装置であって、異常情報を格納する異常情報記憶手段と、前記判定手段によって前記トライアックの制御が異常であると判定された場合に、前記トライアックの制御が異常である旨の情報を前記異常情報記憶手段に格納する異常処理手段と、を備えることを特徴としている。
【００１１】
請求項６に記載の定着制御装置は、請求項１〜請求項５のいずれかに記載の定着制御装置であって、前記判定手段が、前記トライアック制御手段から前記トライアックに対して前記定着ヒータへの電力の供給を停止する旨の指示信号が出力され、且つ、前記ゼロクロス信号が出力されている場合に、前記トライアックの制御が異常であると判定することを特徴としている。
【００１２】
請求項７に記載の定着制御装置は、請求項６に記載の定着制御装置であって、前記トライアック制御手段が、前記トライアックに対して前記定着ヒータへ電力を供給させる旨の指示信号であるトライアック制御信号をオンオフ制御することによって前記定着ローラの温度を制御し、前記判定手段が、前記トライアック制御信号が入力されるＮＯＴ回路と、前記ＮＯＴ回路の出力信号及び前記ゼロクロス信号が入力されるＡＮＤ回路と、を備え、前記遮断指示手段が、前記ＡＮＤ回路からの出力信号がＯＮ状態である場合に、電力を遮断させることを特徴としている。
【００１３】
請求項８に記載の画像形成装置は、定着ローラ及び定着ローラを加熱する定着ヒータを有し、転写されたトナーを記録紙上に定着して画像を形成する定着ユニットと、請求項１〜請求項７のいずれかに記載の定着制御装置と、を備え、前記定着制御装置が、商用電源から前記定着ユニットに配設された定着ヒータに断続的に電力を供給し、前記定着ユニットに配設された定着ローラの温度を制御することを特徴としている。
【発明の効果】
【００１４】
請求項１に記載の定着制御装置によれば、商用電源からトライアックに印加される交流電圧のゼロクロス点において、予め設定された所定幅のパルス信号であるゼロクロス信号が生成され、また、トライアックに対して定着ローラの温度を制御するべく指示信号が出力される。そして、ゼロクロス信号及び指示信号に基づいてトライアックの制御が異常であるか否かが判定されるため、トライアックの異常を正確に判定することができる。
【００１５】
すなわち、商用電源からトライアックに電力が供給されているか否かを示すゼロクロス信号と、定着ローラの温度を制御するべくトライアックに対して出力される指示信号と、に基づいてトライアックの制御が異常であるか否かが判定されるため、トライアックの異常を正確に判定することができるのである。
【００１６】
例えば、定着ヒータに対する電力の供給を停止する旨の指示信号がトライアックに対して出力され、且つ、商用電源からトライアックに電力が供給されていることを示すゼロクロス信号が出力されて場合には、トライアックの制御が異常であると判定することができるのである。
【００１７】
請求項２に記載の定着制御装置によれば、トライアックの制御が異常であると判定された場合に、トライアックから定着ヒータに供給される電力が遮断されるため、定着ヒータの異常加熱を防止することができる。
【００１８】
請求項３に記載の定着制御装置によれば、リレーを介して電力が遮断されるため、定着ヒータの異常加熱を簡素な構成で確実に防止することができる。
【００１９】
請求項４に記載の定着制御装置によれば、トライアックの制御が異常であると判定された場合に、外部から視認可能にトライアックの制御が異常である旨の情報が出力されるため、トライアックの制御が異常であることをユーザが視認することができるので、ユーザの利便性を向上することができる。
【００２０】
請求項５に記載の定着制御装置によれば、トライアックの制御が異常であると判定された場合に、トライアックの制御が異常である旨の情報が異常情報記憶手段に格納されるため、サービスマン等が異常情報記憶手段に格納されたトライアックの制御が異常である旨の情報を読み出すことによって、トライアックの制御の異常が発生したことを確認することができるので、メンテナンスの利便性を向上することができる。
【００２１】
請求項６に記載の定着制御装置によれば、定着ヒータへの電力の供給を停止する旨の指示信号が出力され、且つ、ゼロクロス信号が出力されている場合に、トライアックの制御が異常であると判定されるため、トライアックの異常を更に正確に判定することができる。
【００２２】
すなわち、定着ヒータへの電力の供給を停止する旨の指示信号が出力され、且つ、ゼロクロス信号が出力されている場合には、トライアックが指示信号に反する動作をしているので、トライアックの制御が異常であると判定することができるのである。
【００２３】
請求項７に記載の定着制御装置によれば、トライアックに対して定着ヒータへ電力を供給させる旨の指示信号であるトライアック制御信号をオンオフ制御することによって定着ローラの温度を制御される。また、ＮＯＴ回路にトライアック制御信号が入力され、ＮＯＴ回路の出力信号及びゼロクロス信号がＡＮＤ回路に入力される。そして、ＡＮＤ回路からの出力信号がＯＮ状態である場合に、電力が遮断されるため、簡素な構成で定着ヒータの異常加熱を確実に防止することができる。
【００２４】
すなわち、トライアックに対して定着ヒータへ電力を供給させる旨の指示信号であるトライアック制御信号がＯＦＦ状態（＝ＮＯＴ回路からの出力信号がＯＮ状態）であって、且つ、ゼロクロス信号がＯＮ状態である場合に、ＡＮＤ回路からの出力信号がＯＮ状態となるため、トライアックの制御が異常であるか否かを簡素な構成で正確に判定することができるのである。
【００２５】
請求項８に記載の画像形成装置によれば、請求項１〜請求項７のいずれかに記載の定着制御装置によって、商用電源から定着ユニットに配設された定着ヒータに断続的に電力が供給され、定着ユニットに配設された定着ローラの温度が制御され、また、定着制御装置に配設されたトライアックに対して定着ローラの温度を制御するべく指示信号が出力されるため、トライアックの異常を正確に判定することが可能な画像形成装置を実現することができる。
【発明を実施するための最良の形態】
【００２６】
以下、本発明に係る画像形成装置の一例について図面を参照して説明する。図１は、本発明に係る画像形成装置の概略構成の一例を示すブロック図である。なお、ここでは、画像形成装置が、プリンタである場合について説明するが、記録紙上に画像を形成する他の画像形成装置（例えば、ファクシミリ、インターネットファクシミリ、複写機、複合機等）である形態でもよい。図１に示すように、プリンタ１００は、制御ユニット１、操作部２、表示部３、電源ユニット４、及び、印刷処理部５を備えている。なお、プリンタ１００は、図略のパーソナルコンピュータ（ＰＣ）等と通信可能に接続され、パーソナルコンピュータ（ＰＣ）等から画像を受け付け、受け付けた画像に対応する画像を記録紙上に形成するものである。
【００２７】
制御ユニット１は、プリンタ１００全体の動作を制御するものであって、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、及び、図略のＲＯＭ（Ｒｅａｄ  Ｏｎｌｙ  Ｍｅｍｏｒｙ）を備えている。
【００２８】
操作部２は、ユーザからの操作入力を受け付けて、受け付けられた操作入力に対応する操作入力情報を生成し、制御ユニット１（ＣＰＵ１１）に出力するものである。操作部２は、例えば、テンキー、スタートボタン等の各種ボタン、及び、表示部３に配設されたＬＣＤ（Ｌｉｑｕｉｄ  Ｃｒｙｓｔａｌ  Ｄｉｓｐｌａｙ）と一体に形成されたタッチパネル等を備えている。
【００２９】
表示部３（表示制御手段の一部に相当する）は、ＬＣＤ、ＬＥＤ（Ｌｉｇｈｔ  Ｅｍｉｔｔｉｎｇ  Ｄｉｏｄｅ）等を備え、制御ユニット１（ＣＰＵ１１）からの指示に基づき、設定情報、ガイダンス情報、メッセージ情報等をユーザから視認可能に表示するものである。ここでは、表示部３は、ＣＰＵ１１（後述する異常制御部１１２）によってトライアックの制御が異常であると判定された場合に、ＬＣＤにトライアックの制御が異常である旨の情報を出力するものである。
【００３０】
電源ユニット４（定着制御装置の一部に相当する）は、商用電源から供給される交流電圧（例えば、１００Ｖ、６０Ｈｚ）を用いて、所定の直流電圧（例えば、５Ｖ及び２４Ｖ）を生成し、制御ユニット１、操作部２、表示部３、印刷処理部５等に供給するものであって、トライアック４１を備えている。トライアック４１（ＴＲＩＡＣ：ＴＲＩｏｄｅ  ＡＣ  ｓｗｉｔｃｈ）は、ＣＰＵ１１（後述する定着温度制御部１１１）からの指示に従って、印刷処理部５の定着ユニット５３に配設された定着ヒータ５３１に電力を供給又は遮断するものである。
【００３１】
印刷処理部５は、記録紙上に電子写真方式で画像（ここでは、パーソナルコンピュータ（ＰＣ）等から受け付けられた画像に対応する画像）を形成するものであって、現像ユニット５１、感光ユニット５２、及び、定着ユニット５３を備えている。現像ユニット５１は、感光ユニット５２に配設された感光ドラムに形成された静電潜像にトナーを付着させてトナー像を形成するものである。感光ユニット５２は、感光ドラムを備え、まず、感光ドラムの表面が帯電ローラによって略均一に帯電され、次に、図略のレーザビーム走査ユニットによって、静電潜像が形成され、更に、現像ユニット５１によって、トナーが付着されてトナー像が形成され、感光ドラムに形成されたトナー像を記録紙に転写するものである。
【００３２】
定着ユニット５３は、定着ヒータ５３１、定着ローラ５３２、及び、温度センサ５３３を備え、感光ユニット５２で感光ドラムから記録紙に転写されたトナー像を、定着ローラ５３２によって記録紙を挟持して搬送することにより溶融して固着させ、記録紙に定着するものである。
【００３３】
定着ヒータ５３１は、ハロゲンランプ等のジュール熱（又は誘導加熱）によって定着ローラ５３２を加熱するものである。定着ローラ５３２は、定着ヒータ５３１によって所定温度（例えば、１８０℃）に加熱され、感光ユニット５２から排出された記録紙を挟持して搬送するものである。温度センサ５３３（トライアック制御手段の一部に相当する）は、サーミスタ等から構成され、定着ローラ５３２の表面温度を測定するものであって、測定された温度に対応する温度信号をＣＰＵ１１（後述する定着温度制御部１１１）に出力するものである。
【００３４】
図２は、本発明に係る定着制御装置の構成の一例を示す構成図である。電源ユニット４（定着制御装置の一部に相当する）は、トライアック４１、信号生成回路４２、演算回路４３、及び、リレー４４を備えている。図に示すように、トライアック４１、及び、リレー４４は、定着ヒータ５３１と共に、商用電源に直列に接続されている。
【００３５】
また、ＣＰＵ１１（定着制御装置の一部に相当する）は、機能的に、定着温度制御部１１１、及び、異常制御部１１２を備え、ＲＡＭ１２（定着制御装置の一部に相当する）は、機能的に、異常情報記憶部１２１を備えている。ここでは、ＣＰＵ１１が、図略のＲＯＭ等に予め格納されたプログラムを読み出して実行することにより、定着温度制御部１１１、異常制御部１１２等の機能部として機能すると共に、ＲＡＭ１２を、異常情報記憶部１２１等の機能部として機能させるものである。
【００３６】
ここで、ＲＡＭ１２又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３７】
トライアック４１は、定着温度制御部１１１からの指示に従って、定着ヒータ５３１に電力を供給又は遮断するものである。具体的には、トライアック４１は、定着温度制御部１１１から定着ヒータ５３１へ電力を供給する旨の指示信号であるトライアック制御信号が入力された場合に、定着ヒータ５３１に電力を供給し、トライアック制御信号が入力されない場合に、定着ヒータ５３１に電力を遮断するものである。また、トライアック４１は、いわゆる位相制御方式を用いて加熱制御を行うものであって、供給電力のデューティ比を制御することによって、定着ローラ５３２の表面温度を制御するものである。
【００３８】
信号生成回路４２（信号生成手段に相当する）は、商用電源からトライアック４１に印加される交流電圧のゼロクロス点において、予め設定された所定幅（例えば、２ｍｓｅｃ）のパルス信号であるゼロクロス信号を生成し、演算回路４３（後述するＡＮＤ回路４３２）に出力するものである。なお、信号生成回路４２は、例えば、商用電源から供給される電圧を全波整流し、生成された脈流が予め設定された所定の閾値電圧以下である場合にＯＮ状態となるパルス信号をゼロクロス信号として生成するものである。
【００３９】
演算回路４３（判定手段、遮断指示手段に相当する）は、ＮＯＴ回路４３１及びＡＮＤ回路４３２を備え、信号生成回路４２からのゼロクロス信号及び定着温度制御部１１１からの指示信号に基づいて、トライアック４１の制御が異常であるか否かを判定すると共に、トライアック４１の制御が異常であると判定された場合に、リレー４４を介して、商用電源からトライアック４１に供給される電力を遮断させる（＝商用電源、トライアック４１、リレー４４、定着ヒータ５３１からなる回路をオープンする）ものである。
【００４０】
ＮＯＴ回路４３１は、定着温度制御部１１１からトライアック４１に対して定着ヒータ５３１へ電力を供給させる旨の指示信号であるトライアック制御信号が入力され、トライアック制御信号を反転した信号をＡＮＤ回路４３２へ出力するものである。
【００４１】
ＡＮＤ回路４３２は、ＮＯＴ回路４３１の出力信号及び信号生成回路４２からのゼロクロス信号が入力され、両信号のＡＮＤ処理を行い、生成された出力信号をリレー４４及びＣＰＵ１１（異常制御部１１２）へ出力するものである。すなわち、ＡＮＤ回路４３２は、ＮＯＴ回路４３１の出力信号がＯＮ状態（＝定着温度制御部１１１からトライアック４１に対して定着ヒータ５３１へ電力を供給させる旨の指示信号であるトライアック制御信号がＯＦＦ状態）であって、且つ、信号生成回路４２からのゼロクロス信号がＯＮ状態の場合に、トライアック４１の制御が異常である旨の出力信号をＯＮ状態とするものである。
【００４２】
リレー４４（遮断手段に相当する）は、トライアック４１と定着ヒータ５３１との間に介設され、演算回路４３（＝ＡＮＤ回路４３２）からの指示に従って、トライアック４１から定着ヒータ５３１に供給される電力を遮断する（＝商用電源、トライアック４１、リレー４４、定着ヒータ５３１からなる回路をオープンする）ものである。すなわち、リレー４４は、ＡＮＤ回路４３２からの出力信号がＯＮ状態となった場合（＝トライアック４１の制御が異常であると判定された場合）に、トライアック４１から定着ヒータ５３１に供給される電力を遮断するものである。
【００４３】
定着温度制御部１１１（トライアック制御手段の一部に相当する）は、温度センサ５３３からの定着ローラ５３２の表面温度を示す温度信号に基づいて、定着ローラ５３２の温度を制御するべくトライアック４１に対して指示信号を出力するものである。具体的には、定着温度制御部１１１は、トライアック４１に対して定着ヒータ５３１へ電力を供給させる旨の指示信号であるトライアック制御信号をオンオフ制御することによって定着ローラ５３２の温度を制御するものである。
【００４４】
異常制御部１１２（異常処理手段、表示制御手段の一部に相当する）は、演算回路４３（ＡＮＤ回路４３２）からの出力信号がＯＮ状態となった場合（＝トライアック４１の制御が異常であると判定された場合）に、表示部３に配設されたＬＣＤにトライアックの制御が異常である旨の情報を表示する（例えば、「定着異常です。サービスマンをコールして下さい。」とのガイダンス情報を表示する）ものである。
【００４５】
また、異常制御部１１２は、演算回路４３（ＡＮＤ回路４３２）からの出力信号がＯＮ状態となった場合（＝トライアック４１の制御が異常であると判定された場合）に、異常情報記憶部１２１に、トライアックの制御が異常である旨の情報（例えば、トライアックの制御が異常を示すエラーコード）を格納する（＝書き込む）ものである。
【００４６】
異常情報記憶部１２１（異常情報記憶手段に相当する）は、異常情報を格納するものであって、異常制御部１１２によってトライアックの制御が異常である旨の情報（例えば、トライアックの制御が異常を示すエラーコード）が書き込まれるものである。
【００４７】
図３は、本発明に係る定着制御装置の動作の一例を示すフローチャートである。まず、ＡＮＤ回路４３２によって、トライアック制御信号がＯＦＦ状態であるか否かの判定が行われる（Ｓ１０１）。トライアック制御信号がＯＦＦ状態ではない（＝ＯＮ状態である）と判定された場合（Ｓ１０１でＮＯ）には、処理が待機状態とされる。トライアック制御信号がＯＦＦ状態であると判定された場合（Ｓ１０１でＹＥＳ）には、ＡＮＤ回路４３２によって、ゼロクロス信号がＯＮ状態であるか否かの判定が行われる（Ｓ１０３）。
【００４８】
ゼロクロス信号がＯＮ状態ではない（＝ＯＦＦ状態である）と判定された場合（Ｓ１０３でＮＯ）には、処理がステップＳ１０１に戻され、ステップＳ１０１以降の処理が繰り返し実行される。ゼロクロス信号がＯＮ状態であると判定された場合（Ｓ１０３でＹＥＳ）には、ＡＮＤ回路４３２によって、トライアック４１の制御が異常である旨の出力信号がＯＮ状態とされ（Ｓ１０５）、リレー４４によって、トライアック４１から定着ヒータ５３１に供給される電力が遮断される（Ｓ１０７）。
【００４９】
そして、異常制御部１１２によって、表示部３に配設されたＬＣＤにトライアックの制御が異常である旨の情報が表示される（Ｓ１０９）。次いで、異常制御部１１２によって、異常情報記憶部１２１に、トライアックの制御が異常である旨の情報が書き込まれて（Ｓ１１１）、処理が終了される。
【００５０】
このようにして、商用電源からトライアック４１に印加される交流電圧のゼロクロス点において、予め設定された所定幅（ここでは、２ｍｓｅｃ）のパルス信号であるゼロクロス信号が生成され、また、トライアック４１に対して定着ローラ５３２の温度を制御するべく指示信号が出力される。そして、ゼロクロス信号及び指示信号に基づいてトライアック４１の制御が異常であるか否かが判定されるため、トライアック４１の異常を正確に判定することができる。
【００５１】
すなわち、商用電源からトライアック４１に電力が供給されているか否かを示すゼロクロス信号と、定着ローラ５３２の温度を制御するべくトライアック４１に対して出力される指示信号と、に基づいてトライアック４１の制御が異常であるか否かが判定されるため、トライアック４１の異常を正確に判定することができるのである。
【００５２】
例えば、定着ヒータ５３１に対する電力の供給を停止する旨の指示信号がトライアック４１に対して出力され、且つ、商用電源からトライアック４１に電力が供給されていることを示すゼロクロス信号が出力されて場合には、トライアック４１の制御が異常であると判定することができるのである。
【００５３】
また、トライアック４１の制御が異常であると判定された場合に、トライアック４１から定着ヒータ５３１に供給される電力が遮断されるため、定着ヒータ５３１の異常加熱を防止することができる。
【００５４】
更に、リレー４４を介して電力が遮断されるため、定着ヒータ５３１の異常加熱を簡素な構成で確実に防止することができる。
【００５５】
加えて、トライアック４１の制御が異常であると判定された場合に、表示部３に配設されたＬＣＤにトライアックの制御が異常である旨の情報が表示されるため、トライアック４１の制御が異常であることをユーザが視認することができるので、ユーザの利便性を向上することができる。
【００５６】
また、トライアック４１の制御が異常であると判定された場合に、トライアック４１の制御が異常である旨の情報が異常情報記憶部１２１に格納されるため、サービスマン等が異常情報記憶部１２１に格納されたトライアック４１の制御が異常である旨の情報を読み出すことによって、トライアック４１の制御の異常が発生したことを確認することができるので、メンテナンスの利便性を向上することができる。
【００５７】
更に、定着ヒータ５３１への電力の供給を停止する旨の指示信号が出力され、且つ、ゼロクロス信号が出力されている場合に、トライアック４１の制御が異常であると判定されるため、トライアック４１の異常を更に正確に判定することができる。
【００５８】
すなわち、定着ヒータ５３１への電力の供給を停止する旨の指示信号が出力され、且つ、ゼロクロス信号が出力されている場合には、トライアック４１が指示信号に反する動作をしているので、トライアック４１の制御が異常であると判定することができるのである。
【００５９】
加えて、トライアック４１に対して定着ヒータ５３１へ電力を供給させる旨の指示信号であるトライアック制御信号をオンオフ制御することによって定着ローラ５３２の温度を制御される。また、ＮＯＴ回路４３１にトライアック制御信号が入力され、ＮＯＴ回路４３１の出力信号及びゼロクロス信号がＡＮＤ回路４３２に入力される。そして、ＡＮＤ回路４３１からの出力信号がＯＮ状態である場合に、電力が遮断されるため、簡素な構成で定着ヒータ５３１の異常加熱を確実に防止することができる。
【００６０】
すなわち、トライアック４１に対して定着ヒータ５３１へ電力を供給させる旨の指示信号であるトライアック制御信号がＯＦＦ状態（＝ＮＯＴ回路４３１からの出力信号がＯＮ状態）であって、且つ、ゼロクロス信号がＯＮ状態である場合に、ＡＮＤ回路４３１からの出力信号がＯＮ状態となるため、トライアック４１の制御が異常であるか否かを簡素な構成で正確に判定することができるのである。
【００６１】
なお、本発明は、以下の形態にも適用可能である。
（Ａ）本実施形態では、遮断手段がリレー４４を備える場合について説明したが、その他の回路で電力を遮断する形態でもよい。例えば、遮断手段がトランジスタスイッチを介して電力を遮断する形態でもよい。
【００６２】
（Ｂ）本実施形態では、判定手段がＮＯＴ回路４３１及びＡＮＤ回路４３２を備える場合について説明したが、判定手段が他の回路からなる形態でもよいし、ＣＰＵ１１に機能部として構成されている形態でもよい。例えば、ＣＰＵ１１が、定着温度制御部１１１からのトライアック制御信号及び信号生成回路４２からのゼロクロス信号に基づいてトライアック４１の制御が異常であるか否かを判定する機能部を備える形態でもよい。
【図面の簡単な説明】
【００６３】
【図１】は、本発明に係るプリンタの概略構成の一例を示すブロック図である。
【図２】は、本発明に係る定着制御装置の構成の一例を示す構成図である。
【図３】は、定着制御装置の動作の一例を示すフローチャートである。
【符号の説明】
【００６４】
１００    プリンタ
１    制御ユニット
１１    ＣＰＵ（定着制御装置の一部）
１１１    定着温度制御部（トライアック制御手段の一部）
１１２    異常制御部（異常処理手段、表示制御手段の一部）
１２    ＲＡＭ（定着制御装置の一部）
１２１    異常情報記憶部（異常情報記憶手段）
３    表示部（表示制御手段の一部）
４    電源ユニット（定着制御装置の一部）
４１    トライアック
４２    信号生成回路（信号生成手段）
４３    演算回路（判定手段、遮断指示手段）
４３１    ＮＯＴ回路
４３２    ＡＮＤ回路
４４    リレー（遮断手段）
５    印刷処理部
５３    定着ユニット
５３１    定着ヒータ
５３２    定着ローラ
５３３    温度センサ（トライアック制御手段の一部）
【図１】
2008170657.tif 000003
【図２】
2008170657.tif 000004
【図３】
2008170657.tif 000005